(57)【要約】【課題】アルコール感知器と、おみくじ器を複合したことで、飲酒をしない人でも男女を問わず、より一層の使用が期待できる。【解決手段】本考案は、アルコール感知器とおみくじ器の選択を、コインセレクタースイッチ部でレバー操作によりおこない、アルコール感知器とおみくじ器の使い分けができる装置とし、一般大衆に貸しだし、ワンコインで１回手軽に酔い具合の目安の検査、又はワンコインでおみくじも楽しめるようにした。【選択図】図５
0003141407.tif 000002
【実用新案登録請求の範囲】
【請求項１】
アルコール感知器とおみくじ器を一体化し、コインセレクタースイッチをアルコール感知器及びおみくじ器に、手動で切り換えができることを特徴とする複合機を、一般大衆に安価にて貸しだし、適正な飲酒量を把握し健康管理に役立てる感知器、及び遊び感覚のおみくじ器。
【請求項２】
コインセレクタースイッチは、特定のコインのみスイッチが働くようにしたことを特徴とする請求項１と係わる感知器であり、コインセレクタースイッチ部を二股にしアルコール感知器又はおみくじ器をレバーによる操作で切り替え、作動できるように改良した感知器。
【請求項３】
おみくじ器は、請求項２と係わるコインセレクター部からコインが入ってくる際にコインの角度を変換し、おみくじ器のレバー式クラッチ部にセットされ、クラッチがオンになり、おみくじ器レバーを操作することにより回転ドラムが回り、おみくじを放出し、コインが落ちてクラッチが再びオフになり、おみくじ器のレバー操作が無効となる仕組み。
【請求項４】
おみくじ玉は、請求項３に係わる操作に適するよう、おみくじを玉状のなかにおさめた。
【考案の詳細な説明】
【考案の詳細な説明】
【技術分野】
【０００１】本考案は、コインセレクタースイッチとアルコール感知器及びおみくじ器からなる一体型の収益用レンタル機に関する。
【背景技術】
【０００２】実願２００６−２２９５に本考案のおみくじ器をセットした複合機である。
【考案の開示】
【考案が解決しようとする課題】
【０００３】アルコール消費量の増加は医学的にも肝硬変発生率の増加、アルコール依存症の増加と高い相関関係があり、適正の飲酒量を手軽にその場で判断する方法は自らアルコール感知器を購入するという問題があった。【０００４】アルコール感知器と、おみくじ器を複合したことで、飲酒をしない人でも男女を問わず、より一層の使用が期待できる。
【課題を解決するための手段】
【０００５】本考案は、アルコール感知器とおみくじ器の選択を、コインセレクタースイッチ部でレバー操作によりおこない、アルコール感知器とおみくじ器の使い分けができる装置とし、一般大衆に貸しだし、安価で手軽に酔い具合の目安を検査や、おみくじのみでも楽しめることで解決手段とした。
【考案の効果】
【０００６】コインセレクタースイッチ部は、実願２００６−２２９５の仕様を二股にし、レバーによる切り替え式にすることで、複合機として可能となった。【０００７】飲酒量には個人差があります。手軽に安価で呼気中のアルコール濃度の安値がわかるため、適正な飲酒量を把握し健康管理に役立てられることと、女性好みのおみくじ器の複合により多くの人に楽しんでもらえる機種にした。
【考案を実施するための最良の形態】
【０００８】図１に示すアルコール感知器１の乾電池スペース部を切断する。次に、図２に示すコインセレクター二股スイッチ２及び息吹き掛け部４、乾電池ケース部５を組み込む。電池ケースは、乾電池容量が容易に測定できるようにスイッチ式ＬＥＤ発光体を用いた。図１に示すアルコール感知器１の電極部及びスタートスイッチ端子部に配線コードを半田付けにより固定し、もう一方にギボシ型フラグを各々圧着する。【０００９】図３に示す乾電池ケース５にアルコール感知器１の電極部配線コードを接続し、スタートスイッチ端子部からの配線コードをコインセレクタースイッチ部に接続する。アルコール感知器１のガスセンサー部を吹き掛け部４の延長パイプに接続するように組み込む。【００１０】図４に示すおみくじ玉収納部６及び、おみくじクラッチ部７、コイン角度変換部８を組み込む。【００１１】上記により完成した本考案のコイン式アルコール感知器は、ワンコインで手軽に一呼気中のアルコール濃度を測定し酔い具合の目安を検査することができる。
又は、おみくじを引いて楽しむことができる。
【図面の簡単な説明】
【図１】本考案に係わるアルコール感知器の切断図である。
【図２】本考案に係わるコインセレクタースイッチ部、息吹き掛け部及び乾電池ケース取り付け回路図である。
【図３】本考案に係わるコイン式アルコール感知器の図である。
【図４】本考案に係わるコイン式おみくじ器の図で有る。
【図５】本考案に係わるコイン式アルコール感知器＆おみくじ器の全体図で有る。
【符号の説明】
１・・・アルコール感知器
２・・・コインセレクター二股スイッチ部
３・・・コインセレクター切り替えレバー部
４・・・息吹き掛け部
５・・・乾電池ケース部
６・・・おみくじ玉収納部
７・・・おみくじ器レバークラッチ部
８・・・コイン角度変換部
９・・・おみくじ玉出口
【図１】
0003141407.tif 000003
【図２】
0003141407.tif 000004
【図３】
0003141407.tif 000005
【図４】
0003141407.tif 000006
【図５】
0003141407.tif 000007
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
アルコール感知器とおみくじ器を、コインセレクタースイッチにより、アルコール感知器及びおみくじ器に、手動で切り換えが出来ることを特徴とする複合機からなる、アルコール感知器とおみくじ器を一体化した機器。
【請求項２】
請求項１に記載されたアルコール感知器とおみくじ器を一体化した機器において、コインセレクタースイッチは、特定のコインのみスイッチが働くようにしたことを特徴とする感知器であり、コインセレクタースイッチ部を二股にして、アルコール感知器又はおみくじ器をレバーによる操作で切り替え、作動出来るように改良した感知器。
【請求項３】
請求項１に記載されたアルコール感知器とおみくじ器を一体化した機器において、おみくじ器は、コインセレクター部からコインがはいってくる際にコインの角度を変換し、おみくじ器のレバー式クラッチ部にセットされ、クラッチがオンになり、おみくじ器レバーを操作した後おみくじを放出し、コインが落ちてクラッチが再びオフになり、おみくじ器のレバー操作が無効となる仕組みの機器。
【手続補正書】
【提出日】平成20年2月2日(2008.2.2)
【手続補正１】
【補正対象書類名】実用新案登録請求の範囲
【補正対象項目名】全文
【補正方法】変更
【補正の内容】
【実用新案登録請求の範囲】
【請求項１】
アルコール感知器とおみくじ器を、コインセレクタースイッチにより、アルコール感知器及びおみくじ器に、手動で切り換えが出来ることを特徴とする複合機からなる、アルコール感知器とおみくじ器を一体化した機器。
【請求項２】
前記コインセレクタースイッチは、特定のコインのみスイッチが働くようにしたことを特徴とする感知器であり、該感知器はコインセレクタースイッチ部を二股にして、アルコール感知器又はおみくじ器をレバーによる操作で切り替え、作動出来るように改良したものであることを特徴とする請求項１に記載されたアルコール感知器とおみくじ器を一体化した機器。
【請求項３】
前記おみくじ器は、コインセレクター部からコインが入ってくる際にコインの角度を変換し、おみくじ器のレバー式クラッチ部にセットされ、クラッチがオンになり、おみくじ器レバーを操作した後おみくじを放出し、コインが落ちてクラッチが再びオフになり、おみくじ器のレバー操作が無効となる仕組みであることを特徴とする請求項１に記載されたアルコール感知器とおみくじ器を一体化した機器。